(57)【要約】      （修正有）【課題】外観性の向上と組立作業の効率化が図られた装飾用照明装置を提供する。【解決手段】装飾用照明装置１は、反射層を有する外側筒体３と、光源装置を有する内側筒体４とを有する。組立時には内側筒体を外側筒体に挿入される。内側筒体の挿入方向前部には第一拡径部を形成して、挿入方向後部には第二拡径部を形成することにより、第一拡径部により外側筒体と内側筒体の軸心が合わせられるとともに、外側筒体の後端部と第二拡径部とを当接させて内側筒体の挿入を規制する。【選択図】図２
0003199975.tif 000002
【実用新案登録請求の範囲】
【請求項１】
反射層を有する外側筒体と、光源装置を有する内側筒体と、前記内側筒体は前記外側筒体に軸方向で挿入され、前記内側筒体の挿入方向前部には、前端から徐々に拡径する第一拡径部を所定範囲形成し、前記内側筒体の挿入方向後部には、後端に掛けて徐々に拡径する第二拡径部を所定範囲形成し、前記外側筒体の後端部と前記第二拡径部とを当接させて前記内側筒体の挿入を規制することを特徴とする装飾用照明装置。
【請求項２】
前記内側筒体は前端部近傍に発光部材を配置し、前記発光部材は前記外側筒体の一端部から所定距離離間させた位置に配置したことを特徴とする請求項１記載の装飾用照明装置。
【請求項３】
前記外側筒体は、一端側に前記発光部材と対向する壁部を有する有底筒状であり、前記壁部には少なくとも一つ以上の穴を形成することを特徴とする請求項１または２記載の装飾用照明装置。
【請求項４】
前記外側筒体は、透過性を有する樹脂素材の筒状部材の表面に金属を含む反射材をコーティングして反射層を形成したことを特徴とする請求項１乃至３の何れか記載の装飾用照明装置。
【請求項５】
前記光源装置は、発光部材と、発光制御装置と、電池と、操作部材で構成することを特徴とする請求項１乃至４の何れか記載の装飾用照明装置。
【請求項６】
前記発光制御装置は、集音器と、パワーアンプ回路を有し、前記集音器に入力した音声を前記パワーアンプ回路で増幅して発光部材の光量を制御することを特徴とする請求項発５記載の装飾用照明装置。
【請求項７】
前記光源装置は、前記内側筒体の挿入方向前部に配置した発光部材と発光制御装置を搭載した第一の回路基盤と、前記内側筒体の挿入方向後部に配置した操作部材を搭載した第二の回路基盤と、前記第一の回路基盤と前記第二の回路基盤との間に前記電池を挟んだことを特徴とする請求項５または６記載の装飾用照明装置。
【請求項８】
前記内側筒体は、その筒体の内外を連通する開放穴を、前記電池を収容する位置の範囲において少なくとも一部形成することを特徴とする請求項５乃至８の何れか記載の装飾用照明装置。
【考案の詳細な説明】
【技術分野】
【０００１】  本考案は装飾用照明装置に関する。
【背景技術】
【０００２】  下記特許文献１に記載されているように、発光部材の光量を制御する光源装置を提供し、様々な形態の筐体に搭載可能とした装飾用照明装置が知られている。
【先行技術文献】
【特許文献】
【０００３】
【特許文献１】登録実用新案第３０６０４７５号公報
【考案の概要】
【考案が解決しようとする課題】
【０００４】  しかしながら、上記特許文献１に係る装飾用照明装置の形態では、発光部材から照射される直射光そのものが主な観賞対象となりやすく、装飾用途および演出用途に用いるのに対して十分とは言えなかった。【０００５】  本考案は、かかる点に鑑みてなされたものであり、その目的とするところは、光源から照射される光の配光を工夫することにより反射光を主な観賞対象とするための構造であって、外観性の向上と組立性の向上を両立する装飾用照明装置を提供することにある。
【課題を解決するための手段】
【０００６】  本考案は、反射層を有する外側筒体と、光源装置を有する内側筒体と、前記内側筒体は前記外側筒体に軸方向で挿入され、前記内側筒体の挿入方向前部には、前端から徐々に拡径する第一拡径部を所定範囲形成し、前記内側筒体の挿入方向後部には、後端に掛けて徐々に拡径する第二拡径部を所定範囲形成し、前記外側筒体の後端部と前記第二拡径部とを当接させて前記内側筒体の挿入を規制することができる。
【考案の効果】
【０００７】  本考案によれば、組立時に外側筒体に内側筒体を挿入する際に、第一拡径部により外側筒体と内側筒体の軸心が合わせられるとともに、外側筒体の後端部と第二拡径部とを当接させて内側筒体の挿入を規制することができる。
【図面の簡単な説明】
【０００８】
【図１】本考案の装飾用照明装置の外観図である。
【図２】図１におけるＩＩ−ＩＩ線の断面図である。
【図３】図２におけるＩＩＩ−ＩＩＩ線の断面図である。
【図４】外側筒体の素材および反射層の断面図と、発光部材から照射される光の配光の様子を示す断面模式図である。
【図５】本考案の使用形態を示す説明図である。
【図６】本考案の装飾用照明装置の変形例に係る外側筒体の端部に有する壁部に形成した穴を示す図である。
【図７】図６（ａ）の実施例で発光部材を発光させた場合に、模様が投影される様子を示す説明図である。
【考案を実施するための形態】
【０００９】  本考案の実施形態について、図面を参照しながら説明する。
【００１０】  図１に、本考案の装飾用照明装置１の外観図を示す。装飾用照明装置１は、本体部２を外側筒体３と内側筒体４で構成し、外側筒体３の表面が反射材によってコーティングされている。本体部２の内部には発光部材５が収容されている。
【００１１】  図２に、図１におけるＩＩ−ＩＩ線の断面図を示す。外側筒体３の内方に内側筒体４を部分的に収容する。内側筒体４には発光部材５を含む光源装置を搭載しており、組立時には内側筒体４を外側筒体３の内方に向けて軸方向Ａに挿入することで組み立てる。
【００１２】  この内側筒体４の形状の特徴として、挿入方向前部には、前端から徐々に拡径する第一拡径部４ａを所定範囲形成している点と、挿入方向後部には、後端に掛けて徐々に拡径する第二拡径部４ｂを所定範囲形成している点がある、特に第二拡径部４ｂの拡径量は、外側筒体３の後端部１５ｂと第二拡径部４ｂとが当接する程度に設けている。これら特徴により、組立時において、内側筒体４を外側筒体３に挿入するにつれてと第一拡径部４ａにより両筒体の軸心合わせが行われた後、外側筒体３の後端部１５ｂと第二拡径部４ｂとを当接させて内側筒体４の挿入を規制するように作用する。
【００１３】  また、本実施形態では外側筒体５の両端部は互いに開口部１５ａ，１５ｂを有している。これは、どちらの方向からでも内側筒体４を挿入可能とすることで、組立の容易化およびコスト低減に寄与する効果を奏するものである。
【００１４】  光源装置は、発光部材５、回路基盤６，７上に構成された発光制御装置、電池８、操作部材１２とで構成される。発光部材の光量は発光制御装置によって制御される。発光制御装置は、集音器１０とパワーアンプ回路１１を有しており、集音器１０に入力した音声をパワーアンプ回路１１で増幅して出力し、出力した電流を発光部材に流すことで光量を増減するよう制御する。
【００１５】  発光制御装置は、構成部品を二つの回路基盤に分割して内側筒体４に収容される。第一の回路基盤６は発光部材５と発光制御装置１１を搭載し、内側筒体４の挿入方向前部に配置される。第二の回路基盤７は操作部材１２を搭載し、内側筒体の挿入方向後部に配置される。電池８は第一の回路基盤６と第二の回路基盤７との間に挟まれるように配置され、第一の回路基盤６と第二の回路基盤７とはリード線９ａ，９ｂによって導通される。複数の部品を軸方向で並べることにより、光源装置を内側筒体４に収容することができるようコンパクトにレイアウト可能となる。
【００１６】  図３に、図２におけるＩＩＩ−ＩＩＩ線の断面図を示す。内側筒体４は、その筒体の内外を連通する開口部１４を、電池８を収容する位置の範囲において少なくとも一部形成する、電池８は開口部１４から挿入した後、内側筒体４を外側筒体３に挿入することにより、開口部１４は外側筒体３に覆われるため、外側筒体３は開口部１４の蓋も兼ねる。
【００１７】  なお、本実施形態では、発光部材５は発光ダイオードを使用し、光量の増減はパワーアンプ回路１１にて行うが、本実施形態に縛られず、発光部材５は白熱電球であってもよく、光量の増減はマイコンを用いてデューティー制御で行うのでもよい。
【００１８】  図４に、外側筒体３の素材層３ａおよび反射層３ｂの断面図と、発光部材５から照射される光Ｒａ，Ｒｂの配光の様子を示す断面模式図である。外側筒体３は透過性を有する素材層３ａの表面に金属を含む反射材をコーティングして反射層３ｂを形成している。この反射層３ｂは入射した光の一部を反射し、一部を透過させる作用を奏するように構成されており、所謂ビームスプリッターまたはマジックミラーに類する効果を奏する。この構成により、外側筒体３は発光部材５からの入射した光の一部を透過させつつ、反射した一部の光は素材層３ａの内部を光ファイバーのように導光されて外側筒体３の両端面で光を放出させることができるので、発光部材５近傍と外側筒体３の両端が光ることで幻想的な視覚効果を演出することができる。また、反射層３ｂは外方からの光を反射して鏡と同様の作用をするので、外側筒体３の内部に収容した部品を隠蔽することができ、使用者から見て物品の美観や外観性を向上することができる。
【００１９】  ここで、Ｒａは発光部材５から入射した光の一部が外側筒体３の反射層３ｂを透過して外側に透過する様子を示す。Ｒｂは発光部材５から入射した光の一部が反射層３ｂで反射されて素材層３ａの内部を光ファイバーのように導光される様子を示す。Ｒｃは外側から入射した光が反射層３ｂで反射されて鏡と同様の効果となる様子を示す。
【００２０】  なお、反射材のコーティング方法は、金属や酸化物などを蒸発させて素材の表面に付着させる蒸着であってもよいし、フィルム状の反射材を巻き付けるものであってもよい。
【００２１】  図５に、本考案の使用形態の説明図を示す。本考案の装飾用照明装置１は、ガラス製の容器と組み合わせて使用することを想定して構成されている。例えばグラス１６と組み合わせて使用する場合には、発光部材５をグラス１６の底部１６ａに向けるようにして本体部２をグラス１６の中に入れる。本体部２はグラス１６の縁部１６ｂに寄り掛かり、その軸を斜めに傾けた状態となる。
【００２２】  ここで、図２を参照すると、発光部材５が外側筒体３の軸方向端部１５ａから所定距離Ｄだけ離間された位置に配置されているので、グラス１６と組み合わせて使用すると、図５のように、発光部材５は底部１６ａから高さ方向でｈだけ離間した位置且つ縁部１６ｂから水平方向でｗだけ離間した位置となる。この時、発光部材５は底部１６ａから高さ方向でｈだけ離間した位置に居るので、発光部材５から照射される光が拡散される距離を確保することができ、また、発光部材５は縁部１６ｂから水平方向でｗだけ離間した位置に居るので、グラス１６の中央近傍にくることで、発光部材５から照射される光が底部１６ａおよびグラス内壁面に偏りなく届かせることができるので、光の拡散がより促される。このように、本考案の装飾用照明装置１は、グラス１６と組み合わせて使用することで、光の拡散性を高めることができ、さらに拡散された光がグラス１６によりさらに拡散されることで、幻想的な視覚効果を演出することができる。
【００２３】  また、別の実施形態を図６および図７で説明する。図６では、外側筒体３は、発光部材５と対向する一端側１５ａに壁部１７を有する有底筒状であり、壁部１７には穴１８ａ，１８ｂを形成する。穴１８ａ，１８ｂを形成することにより、発光部材５が発光して照射光Ｒｄが穴８ａ，１８ｂを通過するので、図７に示すように、穴１８ａ，１８ｂの形態によって投影先に様々な模様を描くことが可能となる。
【００２４】  ここで、図６（ａ）は壁部１７に形成する穴を全部で５箇所形成しており、各穴を周方向に等間隔で配置している。この実施例において発光部材を発光させた様子を示したのが図７であり、５箇所の穴を光が通過することにより、桜の花びらを想起させるような模様を描くことが可能となる。
【００２５】  また、図６（ｂ）は壁部１７に形成する穴の変形例である。このように壁部１７に形成する穴の形態を変更することで、様々な模様を描くことが可能となる。
【００２６】  以上、本発明に基づいた実施の形態、実施例および各変形例について説明したが、今回開示された実施の形態、実施例および各変形例はすべての点で例示であって制限的なものではない。本発明の技術的範囲は実用新案登録請求の範囲によって示され、実用新案登録請求の範囲と均等の意味および範囲内でのすべての変更が含まれることが意図される。
【符号の説明】
【００２７】１  装飾用照明装置、２  本体部、３  外側筒体、３ａ  素材層、３ｂ  反射層、４  内側筒体、４ａ  第一拡径部、４ｂ  第二拡径部、５  発光部材、６  第一の回路基盤、７  第二の回路基盤、８  電池、９ａ，９ｂ  リード線、１０  集音器、１１  パワーアンプ回路、１２  操作部材、１３  操作子、１４  開口部、１５ａ，１５ｂ  外側筒体の端部、１６  グラス、１６ａ  底部、１６ｂ  縁部、１７  壁部、１８ａ，１８ｂ  穴
【図１】
0003199975.tif 000003
【図２】
0003199975.tif 000004
【図３】
0003199975.tif 000005
【図４】
0003199975.tif 000006
【図５】
0003199975.tif 000007
【図６】
0003199975.tif 000008
【図７】
0003199975.tif 000009
【手続補正書】
【提出日】平成27年7月6日(2015.7.6)
【手続補正１】
【補正対象書類名】実用新案登録請求の範囲
【補正対象項目名】請求項３
【補正方法】変更
【補正の内容】
【請求項３】
前記外側簡体は、一端側に前記発光部材と対向する壁部を有する有底筒状であり、前記壁部には少なくとも一つ以上の穴を形成することを特徴とする請求項２記載の装飾用照明装置。
【手続補正２】
【補正対象書類名】実用新案登録請求の範囲
【補正対象項目名】請求項６
【補正方法】変更
【補正の内容】
【請求項６】
前記発光制御装置は、集音器と、パワーアンプ回路を有し、前記集音器に入力した音声を前記パワーアンプ回路で増幅して発光部材の光量を制御することを特徴とする請求項５記載の装飾用照明装置。
【手続補正３】
【補正対象書類名】実用新案登録請求の範囲
【補正対象項目名】請求項８
【補正方法】変更
【補正の内容】
【請求項８】
前記内側筒体は、その筒体の内外を連通する開放穴を、前記電池を収容する位置の範囲において少なくとも一部形成することを特徴とする請求項５乃至７の何れか記載の装飾用照明装置。